(57)【要約】      （修正有）【課題】コーヒーを抽出した後に、取り外す必要のあるコーヒーフィルタにおいて、抽出直後においてもやけどを防止しながら、湿った粉末状のコーヒー豆を拡散させることなく、容易に取り外して捨てることができるコーヒーフィルタを提供する。【解決手段】コーヒーフィルタ４００は、開口部を持つコーヒーフィルタであって、開口部の近傍に紐２０を通すことが可能である穴１ｂを３つ以上有する。または、開口部近傍に紐通しを有する。作業者が前記穴に紐を通すか、あらかじめ紐を通しておき、抽出後に紐を引き絞ることで開口部を閉じすぼめる。紐を引っ張り上げてコーヒーフィルタを取り外す。このように作業を安全且つ容易にすることで、問題点を解決している。【選択図】図４
0003219555.tif 000002
【実用新案登録請求の範囲】
【請求項１】
コーヒー豆を入れる開口部を持ち、シート状材料から構成されるコーヒーフィルタであって、
前記開口部を開いた状態において前記シート状材料の上部端の近傍に紐を通すことが可能である穴を３つ以上有することを特徴とする、コーヒーフィルタ。
【請求項２】
前記穴に通された紐を有することを特徴とする、請求項１記載のコーヒーフィルタ。
【請求項３】
コーヒー豆を入れる開口部を持ち、シート状材料から構成されるコーヒーフィルタであって、
前記開口部を開いた状態において前記シート状材料の上部端の近傍に紐を通した紐通しを有することを特徴とする、コーヒーフィルタ。
【考案の詳細な説明】
【技術分野】
【０００１】  この考案は、ドリップ方式によりコーヒーを抽出するのに用いるコーヒーフィルタに関する。
【背景技術】
【０００２】  抽出された後の湿った粉末状のコーヒー豆が残されたコーヒーフィルタは、開口部を開いたままの状態でドリッパーから取り外される。主にフィルタの上部を指で摘むことで取り出すか、ドリッパーごと持ち上げて、コーヒーフィルタをコーヒー豆と共に、シンクやゴミ箱等へ入れる。別のコーヒーフィルタにより続けて抽出する場合には、抽出後のコーヒーフィルタをドリッパーの近くの皿などに一時的に取り置く場合もある。
【考案の概要】
【考案が解決しようとする課題】
【０００３】  熱湯により抽出された後のコーヒーフィルタは濡れているために、取り外す場合には、つまみ上げにくく、指が汚れてしまう。抽出直後では、コーヒー豆とフィルタは熱くなっているため、やけどを負う危険性があった。【０００４】  開口部が開いたままであるために、取り外す際や近くの皿などに取り置く際に、誤って湿った粉末状のコーヒー豆を散らし、周囲やシンク内を汚す恐れがあった。ドリッパーごと持ち上げて、逆さまにすることで取り外す場合にも、誤ってゴミ箱の外に落としてしまう可能性があり、全てゴミ箱の中に落ちたとしても、湿ったコーヒー粉末がゴミ箱内で拡散して見た目が悪くなる欠点があった。【０００５】  このようにコーヒーフィルタを取り外す行為は、不用意な作業を行うとやけどや汚れの恐れがあり、慎重に取り扱う必要があった。そのため作業者に心理的な負担を与える作業であった。【０００６】  本考案は、これらの問題に鑑みてなされたものであり、抽出後のコーヒーフィルタを取り外す際のやけどや汚れを防ぎ、心理的負担を軽減して、容易な作業により取り外すことができるコーヒーフィルタを提供することを目的とする。
【課題を解決するための手段】
【０００７】  上記の課題を解決するために、本考案のコーヒーフィルタは、次のような構成をとる。【０００８】  請求項１のコーヒーフィルタは、コーヒー豆を入れる開口部を持ち、シート状材料から構成されるコーヒーフィルタであって、前記開口部を開いた状態において前記シート状材料の上部端の近傍に紐を通すことが可能である穴を３つ以上有する。【０００９】  請求項１に関わる本考案では、作業者が前記穴に紐を通しておき、抽出後に紐を引き絞ることで開口部をすぼめ、紐を引っ張り上げてコーヒーフィルタを取り外すことを可能にしている。【００１０】  請求項２のコーヒーフィルタは、あらかじめ前記穴に通された紐を有する請求項１記載のコーヒーフィルタである。【００１１】  請求項２に関わる本考案では、あらかじめ前記紐を通しておくことで、請求項１のコーヒフィルターを使用する上で作業量が増えてしまう欠点を解決している。【００１２】  請求項３のコーヒーフィルタは、コーヒー豆を入れる開口部を持ち、シート状材料から構成されるコーヒーフィルタであって、前記開口部を開いた状態において前記シート状材料の上部端の近傍に紐を通した紐通しを有する。【００１３】  請求項３に関わる本考案では、抽出後に紐通しに通された紐を引き絞ることで開口部をすぼめ、紐を引っ張り上げてコーヒーフィルタを取り外すことを可能にしている。
【考案の効果】
【００１４】  上述の様に、請求項１から請求項３に記載のコーヒーフィルタは、穴に通された紐により吊り下げ可能であるため、抽出直後の高温の状態であっても、やけどの心配なく容易に取り外すことができる。また、紐を引き絞ることでコーヒー豆を入れた開口部をすぼめて閉じることができるため、湿った粉末状のコーヒー豆を飛び散らす危険性を防止することができる。近くの皿やシンク等に取り置く際に、コーヒーフィルタを横倒しに置いても、湿った粉末状のコーヒー豆はこぼれ落ちることがないので周囲を汚さない効果が得られる。ゴミ箱等に捨てる際も、紐でコーヒーフィルタを釣り上げて容易に捨てることができ、ゴミ箱内で湿った粉末状のコーヒー豆が拡散しないため見た目が悪くならない効果が得られる。これらの効果により作業者の心理的負担も軽減することができる。
【図面の簡単な説明】
【００１５】
【図１】穴が３つの場合の請求項１による実施例１を示す斜視図である。
【図２】穴が３つの場合の請求項２による実施例２を示す斜視図である。
【図３】穴が４つの場合の請求項１による実施例３を示す斜視図である。
【図４】穴が４つの場合の請求項２による実施例４を示す斜視図である。
【図５】実施例４のコーヒーフィルタについて、紐を引きしぼり開口部を閉じた状態を例示する斜視図である。
【図６】実施例４について、紐を上に引き上げてコーヒードリッパーからコーヒーフィルタを取りはずしている状態を例示する斜視図である。
【図７】穴が８つの場合の請求項１による実施例５を示す斜視図である。
【図８】請求項３による実施例６を示す斜視図である。
【図９】ベルト通し様の紐通しの場合の請求項３による実施例７を示す斜視図である。
【考案を実施するための形態】
【００１６】  請求項１に関わるコーヒーフィルターは、コーヒー豆を入れる開口部を持ち、シート状材料から構成されるコーヒーフィルタであって、前記開口部を開いた状態において前記シート状材料の上部端の近傍に紐を通すことが可能である穴を３つ以上有することを特徴とする。
【００１７】  請求項３に関わるコーヒーフィルターは、コーヒー豆を入れる開口部を持ち、シート状材料から構成されるコーヒーフィルタであって、開口部を開いた状態において前記シート状材料の上部端の近傍に紐を通した紐通しを有することを特徴とする。
【００１８】  前記シート状材料とは、ドリップ用のコーヒーフィルタとして広く使われている紙のほか、不織布も使用可能である。通常のコーヒーフィルタの場合には、折り重ねられた２枚のシート状材料について接合されていない上部と、折り曲げられるか接合されることで閉じられた下部及び側部を有している。
【００１９】  前記開口部とは、互いに接合されていない２枚のフィルタ面の上部を開くことで形成される。前記開口部は、粉末状のコーヒー豆を入れる入り口であり、湯を注入する入り口でもある。前記開口部は初めから開いた形状に成形されていてもよい。
【００２０】  前記上部端の近傍とは、前記シート状材料の上部端に対して近い位置のことであるが、上部端に接する位置でなくとも、抽出後のコーヒー粉末が残留する高さより高い位置であればよい。
【００２１】  請求項１及び請求項２に記載の本考案で前提とする穴の数え方は、紐が不可分なシート状材料の１枚を貫通するために必要な穴を一つと数えるものとしている。また、３つ以上とされた前記穴の数は、開口部を開いた状態において数えている。そのため接合されていない２枚のフィルタ面が重なった状態で開けられた穴は、同じ位置にあり、接して重なっていたとしても、２つと数える。前記穴は、前記シート状材料に開けられた貫通穴である他、シート状材料の１枚に対して取り付けられた輪による穴であってもよい。
【００２２】  請求項２に関わるコーヒーフィルターは、あらかじめ前記穴に通された紐を有する請求項１記載のコーヒーフィルタである。
【００２３】  前記紐とは、開口部を閉じすぼめることが可能な十分な強度があれば糸でも、帯状の紙であってもよく、様々な形状と材料で構成することができる。作業者が紐を通す作業が不要になるのであればよい。引きしぼる方法は前記紐を単純に結ぶことで達成可能であるため、両端は離れていても、あらかじめ結ばれていてもよい。
【００２４】  請求項３に記載の本考案での前記紐通しとは、開口部を閉じすぼめることが可能な十分な強度がある紐と紐通し構造があればよい。巾着袋様の筒状になった１本または複数の通し穴に紐が１本又は２本通してあってもよい。また、ズボンのベルト通しの様に、複数の帯輪状のベルト通しに紐が１本又は２本通してあってもよい。引きしぼる方法は前記紐を単純に結ぶことでも、２本の紐を、離れる方向に引っ張ることで達成可能であるため両端は離れていても、あらかじめ結ばれていてもよい。
【００２５】  以下、図面を参照しつつ、本考案の実施例について説明する。
【実施例１】
【００２６】  図１に穴の数が３つの場合の請求項１に関する実施例１を示す。請求項１によるコーヒーフィルタ１００は、紙製フィルタ材１０を折り重ねて、下部１１及び側部１２を接合した一般的な形状のコーヒーフィルタとして作ることができる。実施例１では、穴が３つある。フィルタ材１０が貼り合わされ不可分な１枚に接合された側部１２の上端部の近傍に穴１ａが１つある。また、フィルタ材１０が折られてフィルタ面１３とフィルタ面１４になる。接合されていないフィルタ面１３の上部端１５と、フィルタ面１４の上部端１６を開くことにより開口部が形成される。上部端１５の近傍のフィルタ面１３に穴１ｂがあり、上部端１６の近傍のフィルタ面１４に穴１ｂがある。
【実施例２】
【００２７】  図２に、実施例１の穴の数の場合の請求項２に関する実施例２を示す。
請求項２によるコーヒーフィルタ２００は、３つの穴の実施例１に対して、図２のように紐２０が通されている。紐２０の両端である紐端部２１または紐端部２２について、紐を輪状にしてその内側を通し、１重の結び目を作れば、紐端部２１と紐端部２２とを互いに引き離すように引っぱることで、上部端１５および上部端１６により形成される開口部をすぼめ閉じることができる。
【実施例３】
【００２８】  図３に、穴の数が４つの場合の請求項１に関する実施例３を示す。請求項１によるコーヒーフィルタ３００は、紙製フィルタ材１０を折り重ねて、下部１１及び側部１２を接合した一般的な形状のコーヒーフィルタとして作ることができる。実施例３では、穴が４つある。フィルタ材１０が折られてフィルタ面１３とフィルタ面１４になる。接合されていないフィルタ面１３の上部端１５と、フィルタ面１４の上部端１６を開くことにより開口部が形成される。上部端１５の近傍のフィルタ面１３に穴１ｂが２つあり、上部端１６の近傍のフィルタ面１４に穴１ｂが２つある。【００２９】  実施例３において、穴１ｂの位置をフィルタ面１３及びフィルタ面１４が重った時に同じ位置とする場合、フィルタ面１３及びフィルタ面１４が重なった状態で穴を開けることができる。従って２本の穴あけ用のパンチ棒で同時に４つの穴を開けるか、１本のパンチ棒を２回押し込むことで４つの穴を開けることができる。また、フィルタ面１３及びフィルタ面１４を重ねたまま更に折り重ねれば、１本のパンチ棒で４枚を同時に貫通させ、４つの穴を同時に開けることもできる。
【実施例４】
【００３０】  図４に、実施例３の穴の数の場合の請求項２に関する実施例４を示す。
請求項２によるコーヒーフィルタ４００は、４つの穴の実施例３に対して、図４のように紐２０が通されている。紐２０の両端である紐端部２１または紐端部２２について、紐を輪状にしてその内側を通し、１重の結び目を作れば、紐端部２１と紐端部２２とを互いに引き離すように引っぱることで、上部端１５および上部端１６により形成される開口部をすぼめ閉じることができる。【００３１】  図５に、実施例４のコーヒーフィルタ４００について、コーヒーの抽出後に１重の結び目３０を作り、紐端部２１と紐端部２２とを互いに離れるように引っぱることで、開口部をすぼめ閉じた状態を例示する。抽出後の湿った粉末状のコーヒ豆は袋の内部に閉じ込められている。【００３２】  図６に、実施例４のコーヒーフィルタ４００について、コーヒーの抽出後に開口部をすぼめ閉じた後、紐端部２１及び紐端部２２を上に引き上げることで、安全且つ容易にコーヒードリッパー６０からコーヒーフィルタを取りはずしている状態を例示する。
【実施例５】
【００３３】  図７に、穴の数が８つの場合の実施例５を示す。請求項１によるコーヒーフィルタ５００は、紙製フィルタ材１０を折り重ねて、下部１１及び側部１２を接合した一般的な形状のコーヒーフィルタとして作ることができる。実施例５では、穴が８つある。フィルタ材１０が折られてフィルタ面１３とフィルタ面１４になる。接合されていないフィルタ面１３の上部端１５と、フィルタ面１４の上部端１６を開くことにより開口部が形成される。上部端１５の近傍のフィルタ面１３に穴１ｂが４つあり、上部端１６の近傍のフィルタ面１４に穴１ｂが４つある。紐２０が８つの穴１ｂに対して縫うように通されている。紐の両端である紐端部２１または紐端部２２について、紐の輪の内側を通し、１重の結び目を作れば、紐端部２１と紐端部２２とを互いに引き離すように引っぱることで上部端１５および上部端１６により形成される開口部をすぼめ閉じることができる。穴の数を増やすことによって、より小さく開口部を閉じることができる。
【実施例６】
【００３４】  図８に、請求項３に関する実施例６を示す。請求項３によるコーヒーフィルタ６００は、紙製フィルタ材１０を折り重ねて、下部１１及び側部１２を接合した一般的な形状のコーヒーフィルタとして作ることができる。実施例６では、巾着様の紐通し４０がある。フィルタ材１０の側部が折られてフィルタ面１３とフィルタ面１４になる。フィルタ材の上部が折り返されて筒状の紐通し４０が形成されるようにフィルタ面１３及びフィルタ面１４の面上にそれぞれ部分的に接合されている。紐２０が紐通し４０に通されている。上部端１５および上部端１６を開くことにより開口部が形成される。紐の両端である紐端部２１または紐端部２２について、１重の結び目を作れば、紐端部２１と紐端部２２とを互いに引き離すように引っぱることで上部端１５および上部端１６により形成される開口部をすぼめ閉じることができる。
【実施例７】
【００３５】  図９に、請求項３に関する実施例７を示す。請求項３によるコーヒーフィルタ７００は、紙製フィルタ材１０を折り重ねて、下部１１及び側部１２を接合した一般的な形状のコーヒーフィルタとして作ることができる。実施例７では、ベルト通し様の紐通し５０がある。フィルタ材１０の側部が折られてフィルタ面１３とフィルタ面１４になる。フィルタ材の上部の飛び出した形状部分が折り返されてベルト通し状の紐通し５０が複数形成されるようにフィルタ面１３及びフィルタ面１４の面上に部分的に接合されている。紐２０が紐通しに通されている。また、２本目の紐２３が紐通しに通されている。上部端１５および上部端１６を開くことにより開口部が形成される。紐２０の両端である紐端部２１及び紐端部２２に対して、紐２３の紐端部２４及び紐端部２５を互いに引き離すように引っぱることで上部端１５および上部端１６により形成される開口部をすぼめ閉じることができる。
【産業上の利用可能性】
【００３６】  紙式コーヒーフィルタは工業的に大量生産されており、適切な場所に適切な穴を追加することで適用できる。穴に通すための紐を同梱してもよい。製造工程で適切な場所に紐を突き通しておくことで適用することができる。フィルタ材の上部を適切な形状にして、適切に折り返して部分的に接合することで紐通しを形成することができる。
【符号の説明】
【００３７】１ａ    フィルタ側部にある穴
１ｂ    フィルタ面にある穴
１０    シート状材料によるフィルタ材
１１    シート状材料を重ねて接合されたフィルタ下部
１２    シート状材料を重ねて接合されたフィルタ側部
１３    フィルタ面
１４    フィルタ面
１５    接合されていないシート状材料によるフィルタ面の上部端
１６    接合されていないシート状材料によるフィルタ面の上部端
２０    紐
２１    紐の末端部
２２    紐の末端部
２３    ２本目の紐
２４    ２本目の紐の末端部
２５    ２本目の紐の末端部
３０    結び目
４０    紐通し
５０    ベルト通し状の紐通し
６０    コーヒードリッパ
１００  実施例１のコーヒーフィルタ
２００  実施例２のコーヒーフィルタ
３００  実施例３のコーヒーフィルタ
４００  実施例４のコーヒーフィルタ
５００  実施例５のコーヒーフィルタ
６００  実施例６のコーヒーフィルタ
７００  実施例７のコーヒーフィルタ
【図１】
0003219555.tif 000003
【図２】
0003219555.tif 000004
【図３】
0003219555.tif 000005
【図４】
0003219555.tif 000006
【図５】
0003219555.tif 000007
【図６】
0003219555.tif 000008
【図７】
0003219555.tif 000009
【図８】
0003219555.tif 000010
【図９】
0003219555.tif 000011